(57)【要約】      （修正有）【課題】  電線・通信ケーブルを収納するために道路面に築造される長方体形のマンホールにおいて、ケーブル等の点検、補修作業を行う時にマンホールの開口部周辺に設置するバリケードであって、通行の妨げとならず人や物の墜落を防止する安全性、作業性、利便性に富んだ防護柵を提供する。【解決手段】パイプを曲成してなるＤ形の枠体に垂直パイプとスタンド用パイプ６を取着した２種類（Ａ、Ｂ）の分割柵を構成する。長方形の鋼板をＬ形に曲成した板面にスタンド用ロッド６０を垂設したＬ形台座７をマンホールＭの開口部の金蓋載設用保持枠Ｆの長辺部４に２ヵ所、両短辺部５に１ヵ所ずつ設置する。分割柵２面を継合、連結して主体部構成柵２を構成し、その両側に側体部構成柵（分割柵Ａ又はＢ）３を連結してＩＩ形の防護柵１を構成し、これをＬ形台座７のスタンドロッド６０上にセットして主体部構成柵２と側体部構成柵３よりなる一連の防護柵１を構設する。【選択図】図１
0003160153.tif 000002
【実用新案登録請求の範囲】
【請求項１】
道路面に築造された長方体形のマンホ−ルの開口部の周辺を囲むようにして設ける電線共同溝のＣＣＢＯＸにおける防護柵において
（イ）継合、分離することができるように形成した横幅の異なる２種の分割柵（セグメン    トＡ、セグメントＢ）相互を連結することにより一連の防護柵を構成すること
（ロ）分割柵は、軽量なスチ−ルパイプよりなり、該パイプを２ヵ所，コの字に曲成し，    その上下水平部材の末端に垂直部材を装着して略Ｄ形のパイプ柵の枠体を形成すると    ともにと上下水平部材の中間部に垂直部材を装着して枠体を補強すること
（ハ）セグメントＡ、セグメントＢの分割柵の水平部材の中間部に装着した垂直部材の下    部にスタンド用のパイプを装着（添設）すること
（ニ）継合、連結、調整用のロッドと係着用のボルトを使って、２個の分割柵（セグメン    トＡまたはＢ）を連結することにより主体部の防護柵を構成すること
（ホ）主体部の防護柵の両側に側体部の分割柵（セグメントＡ又はＢ）を直角に配置し、    両柵が形成する隅角をコ−ナリングを使って継合、連結し、側体部の防護柵を構成す    ること
（ヘ）長方形の鋼板をＬ形に折り曲げ、長手方向の板面にスタンド用のロッド（丸鋼）を    垂設したＬ形台座を、開口部の周縁に繞設された金蓋載設用の保持枠と当接するよう    、その長辺部の片側に２ヵ所、両短辺部にそれぞれ１ヵ所配設すること
（ト）保持枠に沿って４箇所に配設したＬ形台座のスタンドロッドに主体部と側体部の防    護柵の下部の水平部材に添設したスタンドパイプとを嵌合し、主体部と両側体部の３    分割柵よりみぞ形（ＩＩ）の防護柵を構成すること
（チ）左右、両側体部の防護柵の垂直部材にアイリングを２ヵ所装着し、該アイリング間    にフック付のチェ−ンを２本掛着して開口部の周辺に養生バリケ−ドを構設すること
を特徴とする長方体形マンホ−ル（ＣＣＢＯＸ）用の防護柵。
【考案の詳細な説明】
【技術分野】
【０００１】  本考案は、地中に埋設された管路に収納されている電線・通信ケ−ブル等の点検、補修作業を行うために道路に設けられた電線共同溝（ＣＣＢＯＸ）の開口部（マンホ−ルともいう）の周辺に設置する防護柵（以下、バリケ−ドともいう）に関し、詳しくは、電線共同溝の開口部の形状が長方形のＣＣＢＯＸに係わるものである。
【背景技術】（文献１参照）【０００２】  従来、電線・通信ケ−ブル用マンホ−ルの開口部の金蓋の形状は、大半が丸形であり、そのマンホ−ルの坑内において点検、補修等の作業を行う場合は、金蓋を取り外して入坑、しているのでマンホ−ルの開口部が開放された状態となり作業員や通行人が誤って坑内に墜落したり物が落下したりする。これを防止するため、金蓋を取り外した後、図５（ａ）に示すような四角錐体形の養生バリケ−ド（防護柵）をマンホ−ルの開口部の周辺に設置している。（特許文献１参照）
また、図５（ｂ）のようにマンホ−ルの丸形金蓋を取り外した後、その開口部に係合する丸形の鋼板に長方形の開口が欠成された金蓋を被覆し、その開口部の周辺に４分割した防柵（分割柵）を長方形に連結、構成した覆工装置（防護柵）が公開されている。
【特許文献】
【０００３】
【特許文献１】特開２００６−４５９７９号公報
【特許文献２】特開２００６−２６５８７８号公報
【非特許文献】『ＣＣＢＯＸ金蓋の形状寸法』
【考案の概要】
【考案が解決しようとする課題】
【０００４】  従来、マンホ−ルの開口部周辺に設置する防護柵は、上述の養生バリケ−ドや覆工装置のように開口部が丸形で、その周辺に設置する防護柵も小規模で、占用区域も狭隘であるが、その防護柵を構成するために多くの部品を使用していることに問題があった。
本考案は、単一マンホ−ルの開口部の形状が長方形のＣＣＢＯＸ（以下、ＣＣＢという）に適用する防護柵であり、単一ＣＣＢを数基分連設した構造、規格が大型化したＣＣＢにも適用する多種、多様な防護柵であることから、従来手法のように数多くの部品を使用することなく、少数の部品を使って防護柵を構成することを主要目的とし、２種の分割柵を組み合わせて枠体を構成する。枠体の形状、構造を簡素化する。枠体相互の連結、組立てを簡便にする。部品を軽量化する。ことによって防護柵の組立、構成作業の能率化（利便性と作業性の向上）による省力化を図ることとした。【０００５】  即ち、本考案の防護柵の基本的な形態は、単一マンホ−ル（ＣＣＢ）の開口部の形状が長方形（縦幅と横幅の比が略１：２）であり、その縦幅と横幅も２種類であり、単一ＣＣＢを数基分を縦方向に連設して大型化したものもあり、従来の単一ＣＣＢの開口部の形状（丸形）、寸法と異なる規格のＣＣＢであり、その多種、多様な規格のＣＣＢの開口部に適応する防護柵を数少ない部品を使って簡単かつ容易に構成することが課題であった。
【課題を解決するための手段】
【０００６】  この課題を解決する手段として、一連の防護柵を構成する枠体を分割（セグメント）する。採寸した２種類の分割柵を組合わせて連結して防護柵の枠組みをする。分割柵の枠体を簡便な形状とし、容易に組立てられる構造にする。枠体を構成する部材にパイプ（薄鋼管、外径１９．１ｍｍ、厚さ１．６ｍｍ）を使用する。曲成したパイプ枠に補強パイプを装着する。分割柵相互の連結に係着ボルトとコ−ナ−掛止金具を使用する  開口部の入坑側の防護柵に代わってチェ−ン２条を使用することなどにより多種、多様な規格、寸法のＣＣＢに適応する汎用性に富んだを防護柵を構成することとした。【０００７】  本考案は、基本的に長方形の開口部の長辺部と短辺部に沿って構設する一連の防護柵を４面構成とし、その長辺部に分割柵２面を連結、配置して主体部構成柵を構成し、両短辺部に分割柵１面を配置して側体部構成柵を構成し、分割柵２面よりなる主体部構成柵の両側に分割柵１面よりなる側体部構成柵を直角に連結して一連の防護柵をＩＩ形に構設するものであり、その防護柵を地上設置するため分割柵の下部の水平パイプにスタンド用パイプを装着するとともに別途、分割柵を支承するＬ形台座金具にスタンド用ロッドを垂設する。
また、分割柵相互を係着ボルトとコ−ナ−掛止金具によって連結し、作業員の出入坑を容易するため入坑側の主体部構成柵に替ってチェ−ン２条を側体部構成柵間に掛着する。【０００８】
【考案の効果】
【０００９】  本考案の防護柵は、開口部の形状が長方形のＣＣＢに適用するバリケ−ドであり、２種類の分割柵を適宜組合わせて一連の防護柵を構成する分割、連結方式のバリケ−トで、単一、大型など種々の規格のＣＣＢの開口部に適応するので汎用性に富んでいること。また、防護柵の枠体を構成する部材に軽くて強いパイプを使用し、これを曲成して簡単な形状、構造の枠体を形成するので部品の加工性、成形性に富んでいること。分割柵相互の組立、連結、固定に係着ボルトとコ−ナ−掛止金具を使用するので組立、解体作業が容易であり作業性に富んでいること。一連の防護柵を構成する部品の種類も２種の分割柵とＬ形台座と取付金具と少ないため用具の輸送、保管も容易であることなど多くの効果を奏する。
【図面の簡単な説明】
【００１０】
【図１】  ＣＣＢＯＸ用防護柵の構造、配置を示す斜視図とＬ形台座の拡大図
【図２】  ＣＣＢＯＸ用防護柵の配設状態を示す展開図  （ａ）  主体部を構成する分割柵の配設状態を示す側面図  （ｂ）  側体部を構成する分割柵の配設状態を示す側面図  （ｃ）  開口部周辺の防護柵の配設状態を示す平面図と連結金具の拡大図
【図３】  分割柵（セグメント、単一防柵）の部材構成と形状を示す側面図  （ａ）  セグメントＡ  （ｂ）  セグメントＢ
【図４】  連設した大型ＣＣＢＯＸと防護柵の配設状態を示す平面図  （ａ）  Ｃ１型（縦６００×横１２００、５連設）  （ｂ）  Ｃ２型（縦５００×横１０００、５連設）
【図５】  従来の円形マンホール用防護柵の構成を示す斜視図  （ａ）  特許文献１の開口養生バリケ−ド  （ｂ）  特許文献２の円形立坑の覆工装置
【考案を実施するための形態】
【００１１】  本考案の防護柵は、上述のように連続する防護柵を分割（セグメント）して２種の分割柵（セグメントＡとＢ）を形成し、その分割柵相互を係着ボルト（−形）とコ−ナ−掛止金具（Ｌ形、コ形）とを使って継合、連結してマンホ−ル（ＣＣＢ）の開口部の周辺に一連の防護柵をＩＩ形に配設するもので、分割柵を構成する枠体にパイプ（薄鋼電線管）を使用し、そのパイプを曲成して略Ｄ形の枠体を形成し、その枠体の中間部に補強用のパイプを垂設するとともにその下部にスタンド用のパイプを装着して分割柵の枠体を構成する。また、その分割柵を支承する金具としてスタンド用ロッドを垂設したＬ形台座を開口部の周縁部に装設された金蓋保持枠に台座が当接するように配設し、この台座に止着されたスタンドロッドと分割柵のスタンドパイプとを嵌装して開口部の周縁部に沿って一連の防護柵を構設している。以下、その実施形態を図１〜図５に基づいて説明する。
【実施例】
【００１２】    図１は、分割柵セグメントＡとセグメントＢを係着ボルト９を使って連結してなる主体部構成柵２と分割柵セグメントＢよりなる側体部構成柵３とを係着ボルト９とコ−ナ−掛止金具１０を使ってＩＩ形に連結して一連の防護柵１を構成し、その防護柵１を支承する金具として、幅ｊが１５０ｍｍ、長さｉ＋ｆが３５０ｍｍの長方形の鋼板をＬ形に曲成し、短辺幅ｆが１００ｍｍ、長辺幅ｉが２５０ｍｍの板面に外径が１６ｍｍ、長さｈが１５０ｍｍのロッド６０を垂設したスタンド用のＬ形台座７を開口部に繞設された金蓋保持枠Ｆに当接する状態で配設し、各分割柵の枠体の下部に装着したスタンドパイプ６とを嵌着して主体部構成柵１面と側体部構成２面よりなる一連の防護柵１を長方形の単一マンホ−ルＭ（ＣＣＢ）の開口部の周辺に設置する。なお、作業員の坑内への出入りを簡便にするため入坑側に設置する主体部構成柵２に代わってチェ−ン８を２条両側体部構成柵３間に懸架する。【００１３】  図２は、縦幅ｍが５００ｍｍ、横幅ｌが１０００ｍｍの単一マンホ−ルＭの開口部に一連の防護柵１を配設した状態図で、（ａ）は、高さｃが８００ｍｍの枠体の下部に長さ１５０ｍｍのスタンドパイプ６を装着した高さｈが９５０ｍｍの分割柵（セグメントＡとセグメントＢ）を連結して横幅Ｅが１３００ｍｍの主体部構成柵２を構設した状態で、（ｂ）は、高さｃが８００ｍｍの枠体の下部に長さ１５０ｍｍのスタンドパイプ６を取着した高さｈが９５０ｍｍ、横幅ｂが７００ｍｍの側体部構成柵３を構設した状態で、（ｃ）は、主体部構成柵２（セグメントＡとＢ）を開口部の周縁の長辺部４に沿って配置し、横幅ｂが７００ｍｍの側体部構成柵３（セグメントＢ）を短辺部５に沿って主体部構成柵２の両側に設置し、防護柵３面よりなる横幅Ｅが１３００ｍｍの一連の防護柵１を開口部の周辺にＩＩ形に配設する。なお、主体部構成柵２と側体部構成柵３とのコ−ナ−連結は、要部拡大図のように両構成柵の枠体を係着ボルト９とコ−ナ−掛止金具１０を使って直角（Ｌ形）に連結、固定する。【００１４】  なお、一連の防護柵１をマンホ−ルＭの周縁部に適切に設置するためにマンホ−ルＭの開口部に繞設された金蓋載設用の保持枠Ｆに当接するよう開口部の長辺部４と短辺部５に沿ってスタンドロッド５付のＬ形台座７を長辺部４に２ヵ所、短辺部に１ヵ所づつ配設し、このＬ型台座７のスタンドロッド６０と各分割柵に装着したスタンドパイプ６とを的確に係合嵌着する。また、作業員の坑内への出入りを容易にするため入坑側に設置する主体部構成柵２に替ってフック付チェ−ン９を２条使用する。そのため、図３のように両分割柵（セグメントＡ、Ｂ）の垂直パイプ３０にアイリングＩ挿着用の孔を２ヵ所横穿する。【００１５】  図３は、分割（セグメント）した２種（Ａ、Ｂ）の単一防柵（バリケ−ド）即ち、分割柵の枠体の形状と部材造構成図で、防柵の枠体に外径１９．１ｍｍ、厚さ１．６ｍｍのパイプ（薄鋼管）を使用する。（ａ）は、枠体の横幅ａが６００ｍｍ、縦幅ｃが８００ｍｍのセグメントＡで、（ｂ）は、横幅ｂが７００ｍｍ，縦幅ｃが８００ｍｍのセグメントＢで、いずれも、一連の長さのパイプを２ヵ所、９０°に曲成し、その両先端部間を長さｃが８００ｍｍのパイプ３０によって継合し、略Ｄ形の枠体（Ａ、Ｂ）を形成する。また、各枠体の中間部に長さｃが８００ｍｍのパイプ３３を垂設するとともにその下部の延長線上にスタンド用のパイプ６を装着する。さらに、各分割柵の枠体の継合パイプ３０にアイリングＩ装着用の孔を２ヵ所横穿し、弯曲側の垂直パイプに分割柵相互を連結する孔を２ヵ所横穿する。【００１６】  図４は、長方形の単一マンホ−ルＭを連設した大型ＣＣＢＯＸの周辺に構設する一連の防護柵１の配設状態を示すもので、（ａ）は、開口部の縦幅ｍが６００ｍｍ、横幅ｌが１２００ｍｍの単一マン−ホ−ルＭを５基分連設した場合で、マンホ−ルＭの大型化に伴って、その周辺に構設する一連の防護柵１の横幅Ｌは３．２ｍ、縦幅Ｅは１．４ｍとなる。また、（ｂ）は、その縦幅ｍが５００ｍｍ、横幅ｌが１０００の単一マンホ−ルＭを５個分連設した場合で、防護柵１の横幅Ｌは２．７ｍ、縦幅Ｅは１．２ｍとなる。このように、本考案の防護柵を分割、連結する方式なので、電線共同溝（ＣＣＢＯＸ）の構造、規模が異なる単一マンホ−ルＭから、これを連設した大型マンホ−ルほか丸型マンホ−ルにおいてもセグメントＡを８面使って□形に囲むなど２種類の分割柵（セグメントＡ，Ｂ）を適宜組合せて連結することによって多様に適応するので作業性、汎用性に富んでいる。【００１７】  図５は、従来の丸形マンホ−ル用防護柵の構成を示す斜視図で、（ａ）は、文献１に示す開口養生バリケ−ドで、数多くのパイプ連結用の部品を使って防護柵を開口部の周辺に構設しており、（ｂ）は、文献２に示す丸形マンホ−ル用の覆工装置で、多種、多様な部品と部材を組合わせて構成した分割式の防護柵を開口部の周辺に構設している。
【符号の説明】
【００１８】  １  一連の防護柵（バリケ−ド）        Ｍ  長方形マンホ−ル（ＣＣＢＯＸ）
２  主体部構成柵                      Ａ  分割柵（セグメントＡ）
２０防柵構成パイプの水平部            Ｂ  分割柵（セグメントＢ）
３  側体部構成柵                      Ｃ１連結式小型ＣＣＢＯＸ
３０防柵構成パイプの垂直部            Ｃ２連結式大型ＣＣＢＯＸ
３３防柵構成パイプの補強部            Ｆ  保持枠（金蓋載設用枠体）
４  枠体の長辺部                      Ｇ  地表（道路面）
５  枠体の短辺部                      Ｉ  アイリング（ナット付）
６  スタンドパイプ（防柵用）          Ｅ  連結ＣＣＢＯＸ用防護柵の設置縦幅
６０スタンドロッド（台座用）          Ｌ  連結ＣＣＢＯＸ用防護柵の設置横幅
７  Ｌ形台座（スタンド用、鋼板）      Ｈ  地表に設置した防護柵の高さ
８  チェ−ン（両端フック付）          ｌ  単一ＣＣＢＯＸの開口幅（横）
９  係着ボルト（ナット付、−、Ｌ形）  ｍ  単一ＣＣＢＯＸの開口幅（縦）
１０コ−ナ−掛止金具（コ形）          ａ〜ｄ、ｆ〜ｊ部材間の取付け間隔（幅）
【図１】
0003160153.tif 000003
【図２】
0003160153.tif 000004
【図３】
0003160153.tif 000005
【図４】
0003160153.tif 000006
【図５】
0003160153.tif 000007
【手続補正書】
【提出日】平成22年3月15日(2010.3.15)
【手続補正１】
【補正対象書類名】実用新案登録請求の範囲
【補正対象項目名】全文
【補正方法】変更
【補正の内容】
【実用新案登録請求の範囲】
【請求項１】
道路面に構築された長方体形のマンホ−ルの開口部の周辺を囲むようにして設ける電線共同溝のＣＣＢＯＸにおける防護柵において
（イ）継合、分離することができるように形成した横幅の異なる２種の分割柵（セグメントＡ、セグメントＢ）相互を連結することにより一連の防護柵を構成すること
（ロ）分割柵は、軽量なスチ−ルパイプよりなり、該パイプを２ヵ所、コの字に曲成し、その上下水平部材の末端に垂直部材を装着して略Ｄ形のパイプ柵の枠体を形成するとともに上下水平部材の中間部に垂直部材を装着して枠体を補強すること
（ハ）セグメントＡ、セグメントＢの分割柵の水平部材の中間部に装着した垂直部材の下部にスタンド用のパイプを装着すること
（ニ）パイプ柵の枠体と枠体との継合、連結に調整用のロッドと係着用のボルトを使用し、これにより、２個の分割柵（セグメントＡまたはＢ）を連結して主体部の防護柵を構成すること
（ホ）主体部の防護柵の両側に分割柵（セグメントＡまたはＢ）を直角に配置し、両柵が形成する隅角を係着ボルトとコ−ナ−掛止金具を使って継合、連結し、側体部の防護柵を構成すること
（ヘ）長方形の鋼板をＬ形に折り曲げ、長手方向の板面に丸鋼よりなるスタンドロッドを垂設したＬ形台座を、開口部の周縁に繞設された金蓋載設用の保持枠と当接するよう、その長辺部の片側に２ヵ所、両短辺部にそれぞれ１ヵ所配設すること
（ト）保持枠に沿って４ヵ所に配設したＬ形台座のスタッドロッドに主体部と側体部の防護柵の下部の水平部材に装着したスタンドパイプとを嵌合し、開口部の周辺に配置した主体部と両側体部の３分割柵の枠体相互を係着ボルトと掛止金具によってΠ形に連結して一連の防護柵を構成すること
（チ）左右、両側体部の防護柵の垂直部材にアイリングを２ヵ所装着し、該アイリング間にフック付のチェ−ンを２本掛着して開口部の周辺に養生バリケ−ドを構設することを特徴とする長方体形のＣＣＢＯＸ用の防護柵。